(57)【要約】【課題】  振動板の振動が振動板以外の部位に伝わりにくい構造のディスプレイ一体型スピーカの提供。【解決手段】  シールドカバー５と制御基板６とをねじ止めすることにより、透明振動板１の振動により制御基板６の接地あるいは非接地の状態が短期間に切り替わるのを防止する。基板カバー７とシールドカバー５の大部分を非接合とし、一部分をねじ固定することにより、透明振動板１の振動がシールドカバー５を介して基板カバー７に伝わるのを大幅に減らす。シールドカバー５に押圧板１２ａ、１２ｂを下方に向けて取り付け、押圧板１２ａ、１２ｂでエキサイタ２を押圧することにより、エキサイタ２の振動がシールドカバー５に伝わるのを防止する。【選択図】      図１
2006148270.tif 000002
【特許請求の範囲】
【請求項１】
透明振動板と、前記透明振動板を振動させるエキサイタと、前記透明振動板の背面に積載される表示部およびその他の部位とを含むディスプレイ一体型スピーカであって、
前記透明振動板の振動が前記透明振動板以外の部位に伝わりにくくする振動制御手段を含むことを特徴とするディスプレイ一体型スピーカ。
【請求項２】
前記表示部の背面に第１部位と第２部位とが積載され、
前記振動制御手段は前記第１部位に設けられた係止部および第１孔と、前記第２部位に設けられ前記係止部を嵌め込むための第２孔および第３孔と、前記第１孔および前記第３孔を介して前記第１部位と前記第２部位とを固定するためのねじとを含むことを特徴とする請求項１記載のディスプレイ一体型スピーカ。
【請求項３】
前記表示部の背面に第１部位、第２部位および第３部位が積載され、
前記振動制御手段は前記第１部位と前記第３部位との一部をねじ止めし他の部分は非接触とすることを特徴とする請求項１または２記載のディスプレイ一体型スピーカ。
【請求項４】
前記表示部の背面に第１部位、第２部位および第３部位が積載され、さらに前記透明振動板と前記表示部との間に第４部位が積載され、
前記振動制御手段は前記第４部位に設けられた第４孔と、前記第１部位に設けられ前記第４部位に設けられた第４孔を介して前記エキサイタを押圧するための押圧板とを含むことを特徴とする請求項１から３いずれかに記載のディスプレイ一体型スピーカ。
【請求項５】
前記表示部の背面に第１部位、第２部位および第３部位が積載され、少なくとも前記第１部位および前記第３部位のいずれかは矩形状カバーの形状をなし、
前記振動制御手段は前記矩形状カバーの隣接する側面の端部同士を固定する貼付部材であることを特徴とする請求項１から４いずれかに記載のディスプレイ一体型スピーカ。
【請求項６】
前記透明振動板と前記表示部との間に第４部位が積載され、前記第４部位は枠形の形状をなし、
前記振動制御手段は前記第４部位の枠に沿って設けた補強板であることを特徴とする請求項１から５いずれかに記載のディスプレイ一体型スピーカ。
【請求項７】
前記エキサイタは前記第４部位に取り付けられることを特徴とする請求項４または６記載のディスプレイ一体型スピーカ。
【請求項８】
前記振動制御手段は前記透明振動板に前記エキサイタを固定する保持部材であることを特徴とする請求項１記載のディスプレイ一体型スピーカ。
【請求項９】
請求項１から８いずれかに記載のディスプレイ一体型スピーカを用いたことを特徴とする情報処理装置。
【発明の詳細な説明】
【技術分野】
【０００１】
本発明は、ディスプレイ一体型スピーカおよびそれを用いた情報処理装置に関し、特にディスプレイ一体型スピーカの振動制御構造に関する。
【背景技術】
【０００２】
近年、ディスプレイ（表示装置）の前方にスピーカを設けたディスプレイ一体型スピーカが実用化されている。一例として、液晶表示面をなす透明アクリル板をスピーカの振動板として兼用させたものが知られている（たとえば、特許文献１参照）。
【０００３】
図７は従来のディスプレイ一体型スピーカの一例の組立図である。同図を参照すると、ディスプレイ一体型スピーカは透明振動板１と、エキサイタ２と、枠形の外装カバー３と、液晶ユニット（表示部）４と、シールドカバー５と、制御基板６と、基板カバー７と、外装カバー８とを含んで構成され、透明振動板１とエキサイタ２とによりパネル型スピーカが構成される。なお、仕様のよっては制御基板６と、基板カバー７とを含まない構成も考えられる。
【０００４】
エキサイタ２は外装カバー３に取り付けられており、そのエキサイタ２により透明振動板１を振動させている。外装カバー３の内側には液晶ユニット４が取り付けられ、その液晶ユニット４はシールドカバー５により覆われている。そのシールドカバー５の上に制御基板６が設けられ、その制御基板６を基板カバー７が覆っている。基板カバー７はシールドカバー５に取り付けられている。そして、外装カバー８が基板カバー７、制御基板６、シールドカバー５および液晶ユニット４を覆って外装カバー３に取り付けられる。
【０００５】
図８は従来のシールドカバー５と制御基板６の取り付け構造の一例を示す斜視図である。同図はシールドカバー５の一部と、制御基板６の一部とを示している。シールドカバー５には鉤形の突起部５ａが形成され、その突起部５ａには係止部５ｂが形成されている。一方、制御基板６の四方の隅の近傍には孔６ａが形成されている。そして、シールドカバー５の係止部５ｂを制御基板６の孔６ａに嵌め込むことにより、制御基板６をシールドカバー５に取り付けていた。この係止部５ｂと孔６ａはシールドカバー５と制御基板６との位置決めを目的としている。
【０００６】
図９は従来の基板カバー７とシールドカバー５の取り付け構造の一例を示す断面図である。同図を参照すると、基板カバー７はシールドカバー５に接合されている。
【０００７】
【特許文献１】特表２００２−５３３９５７号公報（要約）
【発明の開示】
【発明が解決しようとする課題】
【０００８】
しかし、従来のディスプレイ一体型スピーカは透明振動板１の振動が透明振動板１以外の部位にも伝わり易いという欠点があった。透明振動板１の振動が透明振動板１以外の部位に伝わると、いわゆるびりつき（異常音）が発生する。
【０００９】
一方、図８記載の方法では、シールドカバー５の係止部５ｂを制御基板６の孔６ａに嵌め込むだけであったので、制御基板６がシールドカバー５に確実に接地されず、透明振動板１の振動により制御基板６の接地あるいは非接地の状態が短期間に切り替わり、これが音のびりつき発生の一因となっていた。
【００１０】
また、図９記載の方法では、基板カバー７はシールドカバー５に接合されていたため、透明振動板１の振動がシールドカバー５を介して基板カバー７に伝わり易くなり、これも音のびりつき発生の一因となっていた。
【００１１】
このようにディスプレイ一体型スピーカは、従来のスピーカとは異なり、広範囲の平板を振動させるものであるため、音響振動がその平板以外の構造物に伝わり、これが音のびりつき発生の一因となっていた。音のびりつきは、スピーカシステムにとって致命的な品質問題となることもあり、その対策は急務である。
【００１２】
したがって、複雑に積層された構造をとる液晶ディスプレイ、液晶ユニット等においては振動を抑えた構造を確立していく必要がある。また、今後液晶ディスプレイ、液晶ユニット以外の装置に本ディスプレイ一体型スピーカが採用され、市場が拡大していくと予想されるため、振動制御構造の開発は重要になると考えられる。
【００１３】
一方、これらの課題を解決する手段は特許文献１に開示されていない。
【００１４】
そこで本発明の目的は、振動板の振動が振動板以外の部位に伝わりにくい構造のディスプレイ一体型スピーカおよびそれを用いた情報処理装置を提供することにある。
【課題を解決するための手段】
【００１５】
前記課題を解決するために本発明によるディスプレイ一体型スピーカは、透明振動板と、前記透明振動板を振動させるエキサイタと、前記透明振動板の背面に積載される表示部およびその他の部位とを含むディスプレイ一体型スピーカであって、前記透明振動板の振動が前記透明振動板以外の部位に伝わりにくくする振動制御手段を含むことを特徴とする。
【００１６】
また、本発明による情報処理装置は上記ディスプレイ一体型スピーカを含むことを特徴とする。
【００１７】
すなわち、本発明によれば透明振動板以外の部位をねじ等を用いてしっかりと固定し、振動源を押圧し、または振動源を透明振動板以外の部位から分離することにより、振動板の振動が振動板以外の部位に伝わりにくくすることが可能となる。
【発明の効果】
【００１８】
本発明によれば、上記構成を有することにより、振動板の振動が振動板以外の部位に伝わりにくい構造のディスプレイ一体型スピーカおよびそれを用いた情報処理装置を提供することが可能となる。
【００１９】
具体的に説明すると、シールドカバー５と制御基板６とをねじ止めすることにより、透明振動板１の振動により制御基板６の接地あるいは非接地の状態が短期間に切り替わるのを防止することが可能となる。
【００２０】
また、基板カバー７とシールドカバー５の大部分を非接合とし、一部分をねじ固定することにより、透明振動板１の振動がシールドカバー５を介して基板カバー７に伝わるのを大幅に減らすことが可能となる。
【００２１】
また、シールドカバー５に押圧板１２ａ、１２ｂを下方に向けて取り付け、押圧板１２ａ、１２ｂでエキサイタ２を押圧することにより、エキサイタ２の振動がシールドカバー５に伝わるのを防止することが可能となる。
【００２２】
また、隣接する側面１４ａの端部１４ｃおよび１４ｂの端部１４ｄをテープ１５等の貼付部材にて固定することにより、カバー５，７の振動を低減させることが可能となる。
【００２３】
また、補強板１６を外装カバー３に設けることにより、外装カバー３の振動を低減することが可能となる。
【００２４】
また、エキサイタ２を外装カバー３から分離し、エキサイタ２を保持部（エキサイタホルダ）１７を用いて透明振動板１に固定することにより、エキサイタ２の振動が外装カバー３に伝わるのを防止することが可能となる。
【００２５】
以上により、音のびりつき発生を防止することが可能となる。すなわち、振動発生源の振動が振動板以外に伝わるのを防止することにより、スピーカの余分なエネルギーロスをなくし、スピーカシステムとしての音質を確保することが可能となる。
【発明を実施するための最良の形態】
【００２６】
以下、本発明の実施例について添付図面を参照しながら説明する。本発明に係るディスプレイ一体型スピーカの基本構成は前述した図７に示すものと同様である。したがって、その構成の説明は省略する。以下、本発明の構造と従来の構造との相違点について説明する。
【実施例１】
【００２７】
図１は本発明に係るディスプレイ一体型スピーカのシールドカバー５と制御基板６との接続構造の一例を示す斜視図である。従来、シールドカバー５の係止部５ｂを制御基板６の孔６ａに嵌め込むだけであったが（図８参照）、本発明では新たな構成を追加している。
【００２８】
本発明のシールドカバー５の鉤形の突起部５ａの上面には孔５ｃが形成され、制御基板６の孔６ａの隣には孔６ｂが形成され、シールドカバー５と制御基板６とが孔５ｃおよび孔６ｂを介してねじ１１により固定される。
【００２９】
このように、シールドカバー５と制御基板６とをねじ止めすることにより、透明振動板１の振動により制御基板６の接地あるいは非接地の状態が短期間に切り替わるのを防止することが可能となり、これにより音のびりつき発生を防止することが可能となる。
【実施例２】
【００３０】
図２は本発明に係るディスプレイ一体型スピーカの基板カバー７とシールドカバー５の取り付け構造の一例を示す断面図である。従来、基板カバー７はシールドカバー５に接合されていたが（図９参照）、本発明では基板カバー７とシールドカバー５との大部分を非接触とする。一例として、図２に示すように基板カバー７とシールドカバー５とを少なくとも５ｍｍの間隔に保持する構造とする。具体的には、基板カバー７とシールドカバー５の一部を図示しないねじを用いて固定する。
【００３１】
このように、基板カバー７とシールドカバー５の大部分を非接触とし、一部分をねじ固定することにより、透明振動板１の振動がシールドカバー５を介して基板カバー７に伝わるのを大幅に減らすことが可能となり、これにより音のびりつき発生を防止することが可能となる。
【実施例３】
【００３２】
図３は本発明に係るディスプレイ一体型スピーカのシールドカバー５、液晶ユニット４、外装カバー３およびエキサイタ２の取り付け構造の一例を示す斜視図である。従来、エキサイタ２は外装カバー３に取付けられていた。したがって、エキサイタ２から外装カバー３に伝わった振動がシールドカバー５にも伝わっていた。
【００３３】
一方、本発明ではシールドカバー５に押圧板１２ａ、１２ｂを下方に向けて取り付け、外装カバー３にはこの押圧板１２ａ、１２ｂを貫通させるための孔１３ａ，１３ｂを設け、押圧板１２ａ、１２ｂでエキサイタ２を押圧する。このように押圧板１２ａ、１２ｂでエキサイタ２を押圧することにより、エキサイタ２の振動がシールドカバー５に伝わるのを防止することが可能となる。一方、エキサイタ２が透明振動板１を振動させるという点は従来と相違なく、したがって、エキサイタ２の振動を効率よく透明振動板１に伝えることが可能となる。
【実施例４】
【００３４】
図４は本発明に係るディスプレイ一体型スピーカのシールドカバー５および基板カバー７の構造の一例を示す斜視図である。なお、同図に示すカバー５，７は外観が図７に示すシールドカバー５および基板カバー７の外観と相違するが、図４に示すものはカバー５，７の一例であり、図７に示すシールドカバー５および基板カバー７と同様のカバーに本発明の適用が可能である。
【００３５】
従来、カバー５，７の側面１４ａ，１４ｂの端部１４ｃ，１４ｄを接合していなかったため、側面１４ａおよび１４ｂが振動しやすい構造となっていた。
【００３６】
そこで、本発明では側面１４ａの端部１４ｃおよび側面１４ｂの端部１４ｄをテープ１５等の貼付部材にて固定する。これにより、カバー５，７の振動を低減させることが可能となる。
【実施例５】
【００３７】
図５は本発明に係るディスプレイ一体型スピーカの外装カバー３の構造の一例を示す斜視図である。従来、エキサイタ２の振動が外装カバー３に伝わっていた。本発明では、エキサイタ２の近辺、たとえば外装カバー３のエキサイタ２取付部３ａ側の側面に沿って補強板１６を設ける。なお、この補強板１６は外装カバー３で一体成形してもよいが、板金等による別部品の構成であってもよい。この補強板１６を外装カバー３に設けることにより、外装カバー３の振動を低減することが可能となる。
【実施例６】
【００３８】
図６は本発明に係るディスプレイ一体型スピーカの透明振動板１、エキサイタ２および外装カバー３の構造の一例を示す斜視図である。
【００３９】
従来、エキサイタ２は外装カバー３に取付けられていた。このため、エキサイタ２の振動が外装カバー３に伝わっていた。本発明ではエキサイタ２を外装カバー３から分離し、エキサイタ２をエキサイタホルダ１７等の保持部材を用いて透明振動板１に固定する。これにより、エキサイタ２の振動が外装カバー３に伝わるのを防止することが可能となる。
【産業上の利用可能性】
【００４０】
本発明を液晶ディスプレイを搭載したディスプレイ一体型スピーカに適用することが可能である。また、表示と音声再生機能とを有する情報処理装置、たとえばパーソナルコンピュータ、携帯電話機、ＰＤＡ(personal digital assistant)、ビデオ再生装置およびＤＶＤ(digital versatile disc)再生装置等に本発明の適用が可能である。
【図面の簡単な説明】
【００４１】
【図１】本発明に係るディスプレイ一体型スピーカのシールドカバー５と制御基板６との接続構造の一例を示す斜視図である。
【図２】本発明に係るディスプレイ一体型スピーカの基板カバー７とシールドカバー５の取り付け構造の一例を示す断面図である。
【図３】本発明に係るディスプレイ一体型スピーカの基板カバー７とシールドカバー５の取り付け構造の一例を示す断面図である。
【図４】本発明に係るディスプレイ一体型スピーカのシールドカバー５および基板カバー７の構造の一例を示す斜視図である。
【図５】本発明に係るディスプレイ一体型スピーカの外装カバー３の構造の一例を示す斜視図である。
【図６】本発明に係るディスプレイ一体型スピーカの透明振動板１、エキサイタ２および外装カバー３の構造の一例を示す斜視図である。
【図７】従来のディスプレイ一体型スピーカの一例の組立図である。
【図８】従来のシールドカバー５と制御基板６の取り付け構造の一例を示す斜視図である。
【図９】従来の基板カバー７とシールドカバー５の取り付け構造の一例を示す断面図である。
【符号の説明】
【００４２】
１  透明振動板
２  エキサイタ
３  外装カバー
４  液晶ユニット（表示部）
５  シールドカバー
５ａ  突起部
５ｂ  係止部
５ｃ  孔
６  制御基板
６ａ，６ｂ  孔
７  基板カバー
８  外装カバー
１１  ねじ
１２ａ，１２ｂ  押圧板
１３ａ，１３ｂ  孔
１５  テープ
１６  補強板
１７  エキサイタホルダ
【図１】
2006148270.tif 000003
【図２】
2006148270.tif 000004
【図３】
2006148270.tif 000005
【図４】
2006148270.tif 000006
【図５】
2006148270.tif 000007
【図６】
2006148270.tif 000008
【図７】
2006148270.tif 000009
【図８】
2006148270.tif 000010
【図９】
2006148270.tif 000011